(57)【特許請求の範囲】
【請求項１】
無線通信システムにおいて動作するＵＥ（Ｕｓｅｒ  Ｅｑｕｉｐｍｅｎｔ）のための方法であって、前記方法は、
ＭＣＧ（Ｍａｓｔｅｒ  Ｃｅｌｌ  Ｇｒｏｕｐ）のＢＳ（Ｂａｓｅ  Ｓｔａｔｉｏｎ）及びＳＣＧ（Ｓｅｃｏｎｄａｒｙ  Ｃｅｌｌ  Ｇｒｏｕｐ）のＢＳの両方と関連する分割ベアラーを設定することであって、前記分割ベアラーは、前記ＵＥにおいて第１ＲＬＣ（Ｒａｄｉｏ  Ｌｉｎｋ  Ｃｏｎｔｒｏｌ）エンティティ及び第２ＲＬＣエンティティの両方に接続されたＰＤＣＰ（Ｐａｃｋｅｔ  Ｄａｔａ  Ｃｏｎｖｅｒｇｅｎｃｅ  Ｐｒｏｔｏｃｏｌ）エンティティを含み、前記ＵＥにおいて、前記第１ＲＬＣエンティティは、第１ＭＡＣ（Ｍｅｄｉｕｍ  Ａｃｃｅｓｓ  Ｃｏｎｔｒｏｌ）エンティティに接続されており、前記第２ＲＬＣエンティティは、第２ＭＡＣエンティティに接続されており、前記第１ＲＬＣエンティティ及び前記第１ＭＡＣエンティティは、前記ＭＣＧの前記ＢＳのＲＬＣエンティティ及びＭＡＣエンティティに接続されており、前記第２ＲＬＣエンティティ及び前記第２ＭＡＣエンティティは、前記ＳＣＧの前記ＢＳのＲＬＣエンティティ及びＭＡＣエンティティに接続されている、ことと、
ＲＲＣ（Ｒａｄｉｏ  Ｒｅｓｏｕｒｃｅ  Ｃｏｎｔｒｏｌ）信号を受信することと、
前記ＲＲＣ信号に基づいて、前記ＰＤＣＰエンティティにより、前記ＰＤＣＰエンティティのデータを送信することと
を含み、
前記ＲＲＣ信号を受信すること、及び、前記ＰＤＣＰエンティティの前記データを送信することは、
前記分割ベアラーが前記ＳＣＧの前記ＢＳに接続された前記第２ＲＬＣエンティティを含む第２送信通路から前記ＭＣＧの前記ＢＳに接続された前記第１ＲＬＣエンティティを含む第１送信通路へと変更するという指示を含む前記ＲＲＣ信号を受信すること、及び、前記第１ＲＬＣエンティティを用いて前記ＭＣＧの前記ＢＳに前記ＰＤＣＰエンティティの前記データを送信すること、並びに、
前記分割ベアラーが前記第１送信通路から前記第２送信通路へと変更するという指示を含む前記ＲＲＣ信号を受信すること、及び、前記第２ＲＬＣエンティティを用いて前記ＳＣＧの前記ＢＳに前記ＰＤＣＰエンティティの前記データを送信すること
を含む、方法。
【請求項２】
前記ＰＤＣＰエンティティの前記データは、ＰＤＣＰ  ＰＤＵ（Ｐｒｏｔｏｃｏｌ  Ｄａｔａ  Ｕｎｉｔ）である、請求項１に記載の方法。
【請求項３】
前記ＭＣＧの前記ＢＳのためのチャネル及び前記ＳＣＧの前記ＢＳのためのチャネルの無線状態を測定することと、
前記ＭＣＧの前記ＢＳ及び／又は前記ＳＣＧの前記ＢＳのうちの少なくとも一つに前記無線状態の前記測定の結果を報告することと
をさらに含む、請求項１に記載の方法。
【請求項４】
無線通信システムにおいて動作するＵＥ（Ｕｓｅｒ  Ｅｑｕｉｐｍｅｎｔ）であって、前記ＵＥは、
ＲＦ（Ｒａｄｉｏ  Ｆｒｅｑｕｅｎｃｙ）モジュールと、
前記ＲＦモジュールを制御するように構成されたプロセッサと
を備え、
前記プロセッサは、
ＭＣＧ（Ｍａｓｔｅｒ  Ｃｅｌｌ  Ｇｒｏｕｐ）のＢＳ（Ｂａｓｅ  Ｓｔａｔｉｏｎ）及びＳＣＧ（Ｓｅｃｏｎｄａｒｙ  Ｃｅｌｌ  Ｇｒｏｕｐ）のＢＳの両方と関連する分割ベアラーを設定することであって、前記分割ベアラーは、前記ＵＥにおいて第１ＲＬＣ（Ｒａｄｉｏ  Ｌｉｎｋ  Ｃｏｎｔｒｏｌ）エンティティ及び第２ＲＬＣエンティティの両方に接続されたＰＤＣＰ（Ｐａｃｋｅｔ  Ｄａｔａ  Ｃｏｎｖｅｒｇｅｎｃｅ  Ｐｒｏｔｏｃｏｌ）エンティティを含み、前記ＵＥにおいて、前記第１ＲＬＣエンティティは、第１ＭＡＣ（Ｍｅｄｉｕｍ  Ａｃｃｅｓｓ  Ｃｏｎｔｒｏｌ）エンティティに接続されており、前記第２ＲＬＣエンティティは、第２ＭＡＣエンティティに接続されており、前記第１ＲＬＣエンティティ及び前記第１ＭＡＣエンティティは、前記ＭＣＧの前記ＢＳのＲＬＣエンティティ及びＭＡＣエンティティに接続されており、前記第２ＲＬＣエンティティ及び前記第２ＭＡＣエンティティは、前記ＳＣＧの前記ＢＳのＲＬＣエンティティ及びＭＡＣエンティティに接続されている、ことと、
ＲＲＣ（Ｒａｄｉｏ  Ｒｅｓｏｕｒｃｅ  Ｃｏｎｔｒｏｌ）信号を受信することと、
前記ＲＲＣ信号に基づいて、前記ＰＤＣＰエンティティにより、前記ＰＤＣＰエンティティのデータを送信することと
を実行するように構成され、
前記ＲＲＣ信号を受信すること、及び、前記ＰＤＣＰエンティティの前記データを送信することを実行するように構成されている前記プロセッサは、さらに、
前記分割ベアラーが前記ＳＣＧの前記ＢＳに接続された前記第２ＲＬＣエンティティを含む第２送信通路から前記ＭＣＧの前記ＢＳに接続された前記第１ＲＬＣエンティティを含む第１送信通路へと変更するという指示を含む前記ＲＲＣ信号を受信すること、及び、前記第１ＲＬＣエンティティを用いて前記ＭＣＧの前記ＢＳに前記ＰＤＣＰエンティティの前記データを送信すること、並びに、
前記分割ベアラーが前記第１送信通路から前記第２送信通路へと変更するという指示を含む前記ＲＲＣ信号を受信すること、及び、前記第２ＲＬＣエンティティを用いて前記ＳＣＧの前記ＢＳに前記ＰＤＣＰエンティティの前記データを送信すること
を実行するように構成されている、ＵＥ。
【請求項５】
前記ＰＤＣＰエンティティの前記データは、ＰＤＣＰ  ＰＤＵ（Ｐｒｏｔｏｃｏｌ  Ｄａｔａ  Ｕｎｉｔ）である、請求項４に記載のＵＥ。
【請求項６】
前記プロセッサは、さらに、
前記ＭＣＧの前記ＢＳのためのチャネル及び前記ＳＣＧの前記ＢＳのためのチャネルの無線状態を測定することと、
前記ＭＣＧの前記ＢＳ及び／又は前記ＳＣＧの前記ＢＳのうちの少なくとも一つに前記無線状態の前記測定の結果を報告することと
を実行するように構成されている、請求項４に記載のＵＥ。
【発明の詳細な説明】
【技術分野】
【０００１】
本発明は、無線通信システムに関し、特に、二重接続性（ｄｕａｌ  ｃｏｎｎｅｃｔｉｖｉｔｙ）における上りリンクデータ送信方法及びそのための装置に関する。
【背景技術】
【０００２】
本発明を適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、“ＬＴＥ”という）通信システムについて概略的に説明する。
【０００３】
図１は、無線通信システムの一例として、Ｅ−ＵＭＴＳ網の構造を概略的に示した図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進化したシステムであって、現在、３ＧＰＰで基礎的な標準化作業を進めている。一般に、Ｅ−ＵＭＴＳは、ＬＴＥ（Ｌｏｎｇ  Ｔｅｒｍ  Ｅｖｏｌｕｔｉｏｎ）システムと称することもできる。ＵＭＴＳ及びＥ−ＵＭＴＳの技術規格（ｔｅｃｈｎｉｃａｌ  ｓｐｅｃｉｆｉｃａｔｉｏｎ）の詳細な内容は、それぞれ「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７とＲｅｌｅａｓｅ  ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅ  Ｂ；ｅＮＢ）、及びネットワーク（Ｅ−ＵＴＲＡＮ）の終端に位置し、外部ネットワークと接続される接続ゲートウェイ（Ａｃｃｅｓｓ  Ｇａｔｅｗａｙ；ＡＧ）を含む。基地局は、ブロードキャストサービス、マルチキャストサービス及び／またはユニキャストサービスのために多重データストリームを同時に送信することができる。
【０００５】
一つの基地局には一つ以上のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうち一つに設定され、多くの端末にダウンリンクまたはアップリンク送信サービスを提供する。互いに異なるセルは、互いに異なる帯域幅を提供するように設定することができる。基地局は、多数の端末に対するデータ送受信を制御する。ダウンリンク（Ｄｏｗｎｌｉｎｋ；ＤＬ）データに対して、基地局は、ダウンリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、アップリンク（Ｕｐｌｉｎｋ；ＵＬ）データに対して、基地局は、アップリンクスケジューリング情報を該当の端末に送信し、該当の端末が使用可能な時間／周波数領域、符号化、データサイズ、ＨＡＲＱ関連情報などを知らせる。各基地局間には、ユーザトラフィックまたは制御トラフィックの送信のためのインターフェースを使用することができる。核心網（Ｃｏｒｅ  Ｎｅｔｗｏｒｋ；ＣＮ）は、ＡＧ及び端末のユーザ登録などのためのネットワークノードなどで構成することができる。ＡＧは、複数のセルで構成されるＴＡ（Ｔｒａｃｋｉｎｇ  Ａｒｅａ）単位で端末の移動性を管理する。
【０００６】
無線通信技術は、ＷＣＤＭＡ（登録商標）に基づいてＬＴＥまで開発されてきたが、ユーザと事業者の要求と期待は持続的に増加している。また、他の無線接続技術が継続して開発されているので、今後、競争力を有するためには新たな技術進化が要求され、ビット当たりの費用減少、サービス可用性増大、融通性のある周波数バンドの使用、単純構造と開放型インターフェース、端末の適切なパワー消耗などが要求される。
【発明の概要】
【発明が解決しようとする課題】
【０００７】
本発明の課題は、二重接続性における上りリンク送信方法及び装置における問題点を解決することにある。本発明で遂げようとする技術的課題は以上で言及した技術的課題に制限されず、言及していない他の技術的課題は、以下の記載から、本発明の属する技術の分野における通常の知識を有する者には明確に理解されるであろう。
【課題を解決するための手段】
【０００８】
本発明の課題を解決するための、無線通信システムにおける装置の動作のための方法であって、この方法は、上記端末の第１及び第２ＲＬＣ（Ｒａｄｉｏ  Ｌｉｎｋ  Ｃｏｎｔｒｏｌ）及び第１及び第２ＭＡＣ（Ｍｅｄｉｕｍ  Ａｃｃｅｓｓ  Ｃｏｎｔｒｏｌ）を含む無線ベアラーを設定するステップであって、上記第１ＲＬＣ及び上記第１ＭＡＣは、上記第１基地局にデータを送信するために用いられ、上記第２ＲＬＣ及び上記第２ＭＡＣは、上記第２基地局にデータを送信するために用いられる、ステップと、上記無線ベアラーに対する指示を受信するステップであって、上記指示は、上記無線ベアラーが上記第１基地局及び上記第２基地局のうちどの基地局にデータを送信するかを示す、ステップと、上記指示が、上記無線ベアラーが上記第１基地局にデータを送信することを示すと、上記第１ＲＬＣ及び上記第１ＭＡＣを用いて上記第１基地局に上記無線ベアラーの上りリンクデータを送信するステップとを有する。
【０００９】
本発明の課題を解決するための、無線通信システムにおける装置の動作のための方法であって、この方法は、上記端末の第１及び第２ＲＬＣ（Ｒａｄｉｏ  Ｌｉｎｋ  Ｃｏｎｔｒｏｌ）及び第１及び第２ＭＡＣ（Ｍｅｄｉｕｍ  Ａｃｃｅｓｓ  Ｃｏｎｔｒｏｌ）を含む無線ベアラーを設定するステップであって、上記第１ＲＬＣ及び上記第１ＭＡＣは、上記第１基地局からデータを受信するために用いられ、上記第２ＲＬＣ及び上記第２ＭＡＣは、上記第２基地局からデータを受信するために用いられる、ステップと、上記無線ベアラーに対する指示を受信するステップであって、上記指示は、上記無線ベアラーが上記第１基地局及び上記第２基地局のうちどの基地局からデータを受信するかを示す、ステップと、上記指示が、上記無線ベアラーが上記第１基地局からデータを受信することを示すと、上記第１ＲＬＣ及び上記第１ＭＡＣを用いて上記第１基地局から上記無線ベアラーの下りリンクデータを受信するステップとを有する。
【００１０】
本発明の他の態様に係る無線通信システムの装置は、無線周波数（Ｒａｄｉｏ  Ｆｒｅｑｕｅｎｃｙ；ＲＦ）モジュールと、上記無線周波数モジュールを制御するように構成されたプロセッサとを備え、上記プロセッサは、上記端末の第１及び第２ＲＬＣ（Ｒａｄｉｏ  Ｌｉｎｋ  Ｃｏｎｔｒｏｌ）及び第１及び第２ＭＡＣ（Ｍｅｄｉｕｍ  Ａｃｃｅｓｓ  Ｃｏｎｔｒｏｌ）を含む無線ベアラーを設定するように構成され、上記第１ＲＬＣ及び上記第１ＭＡＣは、上記第１基地局にデータを送信するために用いられ、上記第２ＲＬＣ及び上記第２ＭＡＣは、上記第２基地局にデータを送信するために用いられ、上記プロセッサは、上記無線ベアラーに対する指示を受信するように構成され、上記指示は、上記無線ベアラーがデータを上記第１基地局及び上記第２基地局のうちどの基地局に送信するかを示し、上記プロセッサは、上記指示が、上記無線ベアラーが上記第１基地局にデータを送信することを示すと、上記第１ＲＬＣ及び上記第１ＭＡＣを用いて上記第１基地局に上記無線ベアラーの上りリンクデータを送信するように構成される。
【００１１】
好適には、上記無線ベアラーは、シグナリング無線ベアラー（Ｓｉｇｎａｌｉｎｇ  Ｒａｄｉｏ  Ｂｅａｒｅｒ；ＳＲＢ）である。
【００１２】
好適には、上記上りリンクデータは、ＰＤＣＰ  ＳＤＵ（Ｐａｃｋｅｔ  Ｄａｔａ  Ｃｏｎｖｅｒｇｅｎｃｅ  Ｐｒｏｔｏｃｏｌ  Ｓｅｒｖｉｃｅ  Ｄａｔａ  Ｕｎｉｔ）である。
【００１３】
好適には、上記方法は、上記第１基地局のためのチャネル及び上記第２基地局のためのチャネルの無線状態を測定するステップと、上記第１基地局及び上記第２基地局のうち少なくとも一つに上記無線状態の上記測定結果を報告するステップとをさらに含む。
【００１４】
好適には、上記指示が、上記無線ベアラーが上記第１基地局にデータを送信することを示すと、上記無線ベアラーの上記上りリンクデータは上記第２基地局に送信されない。
【００１５】
好適には、上記方法は、上記無線ベアラーの上記上りリンクデータが上記第１基地局に送信される間に二番目の指示を受信するステップと、上記二番目の指示が、上記無線ベアラーが上記第２基地局にデータを送信することを示すと、ＰＤＣＰ（Ｐａｃｋｅｔ  Ｄａｔａ  Ｃｏｎｖｅｒｇｅｎｃｅ  Ｐｒｏｔｏｃｏｌ）に保存された全てのＳＤＵ（Ｓｅｒｖｉｃｅ  Ｄａｔａ  Ｕｎｉｔ）及びＰＤＵ（Ｐｒｏｔｏｃｏｌ  Ｄａｔａ  Ｕｎｉｔ）を廃棄（ｄｉｓｃａｒｄ）するステップとをさらに含む。
【００１６】
本発明について前述した一般的な説明と後述する詳細な説明はいずれも例示的なものであり、請求項に記載の発明に関する追加的な説明のためのものである。
本発明は、例えば以下を提供する：
（項目１）
第１基地局及び第２基地局を含む無線通信システムにおいて端末が動作する方法であって、
前記端末の第１及び第２ＲＬＣ（Ｒａｄｉｏ  Ｌｉｎｋ  Ｃｏｎｔｒｏｌ）及び第１及び第２ＭＡＣ（Ｍｅｄｉｕｍ  Ａｃｃｅｓｓ  Ｃｏｎｔｒｏｌ）を含む無線ベアラーを設定するステップであって、前記第１ＲＬＣ及び前記第１ＭＡＣは、前記第１基地局にデータを送信するために用いられ、前記第２ＲＬＣ及び前記第２ＭＡＣは、前記第２基地局にデータを送信するために用いられる、ステップと、
前記無線ベアラーに対する指示を受信するステップであって、前記指示は、前記無線ベアラーが前記第１基地局及び前記第２基地局のうちどの基地局にデータを送信するかを示す、ステップと、
前記指示が、前記無線ベアラーが前記第１基地局にデータを送信することを示すと、前記第１ＲＬＣ及び前記第１ＭＡＣを用いて前記第１基地局に前記無線ベアラーの上りリンクデータを送信するステップと、
を有する、端末の動作方法。
（項目２）
前記無線ベアラーは、シグナリング無線ベアラー（Ｓｉｇｎａｌｉｎｇ  Ｒａｄｉｏ  Ｂｅａｒｅｒ；ＳＲＢ）である、項目１に記載の端末の動作方法。
（項目３）
前記上りリンクデータは、ＰＤＣＰ  ＳＤＵ（Ｐａｃｋｅｔ  Ｄａｔａ  Ｃｏｎｖｅｒｇｅｎｃｅ  Ｐｒｏｔｏｃｏｌ  Ｓｅｒｖｉｃｅ  Ｄａｔａ  Ｕｎｉｔ）である、項目１に記載の端末の動作方法。
（項目４）
前記第１基地局のためのチャネル及び前記第２基地局のためのチャネルの無線状態を測定するステップと、
前記第１基地局及び前記第２基地局のうち少なくとも一つに前記無線状態の前記測定結果を報告するステップとをさらに有する、項目１に記載の端末の動作方法。
（項目５）
前記指示が、前記無線ベアラーが前記第１基地局にデータを送信することを示すと、前記無線ベアラーの前記上りリンクデータは前記第２基地局に送信されない、項目１に記載の端末の動作方法。
（項目６）
前記無線ベアラーの前記上りリンクデータが前記第１基地局に送信される間に二番目の指示を受信するステップと、
前記二番目の指示が、前記無線ベアラーが前記第２基地局にデータを送信することを示すと、ＰＤＣＰ（Ｐａｃｋｅｔ  Ｄａｔａ  Ｃｏｎｖｅｒｇｅｎｃｅ  Ｐｒｏｔｏｃｏｌ）に保存された全てのＳＤＵ（Ｓｅｒｖｉｃｅ  Ｄａｔａ  Ｕｎｉｔ）及びＰＤＵ（Ｐｒｏｔｏｃｏｌ  Ｄａｔａ  Ｕｎｉｔ）を廃棄（ｄｉｓｃａｒｄ）するステップとをさらに有する、項目１に記載の端末の動作方法。
（項目７）
第１基地局及び第２基地局を含む無線通信システムにおいて端末が動作する方法であって、
前記端末の第１及び第２ＲＬＣ（Ｒａｄｉｏ  Ｌｉｎｋ  Ｃｏｎｔｒｏｌ）及び第１及び第２ＭＡＣ（Ｍｅｄｉｕｍ  Ａｃｃｅｓｓ  Ｃｏｎｔｒｏｌ）を含む無線ベアラーを設定するステップであって、前記第１ＲＬＣ及び前記第１ＭＡＣは、前記第１基地局からデータを受信するために用いられ、前記第２ＲＬＣ及び前記第２ＭＡＣは、前記第２基地局からデータを受信するために用いられる、ステップと、
前記無線ベアラーに対する指示を受信するステップであって、前記指示は、前記無線ベアラーが前記第１基地局及び前記第２基地局のうちどの基地局からデータを受信するかを示す、ステップと、
前記指示が、前記無線ベアラーが前記第１基地局からデータを受信することを示すと、前記第１ＲＬＣ及び前記第１ＭＡＣを用いて前記第１基地局から前記無線ベアラーの下りリンクデータを受信するステップと、
を有する、端末の動作方法。
（項目８）
前記無線ベアラーは、シグナリング無線ベアラー（Ｓｉｇｎａｌｉｎｇ  Ｒａｄｉｏ  Ｂｅａｒｅｒ；ＳＲＢ）である、項目７に記載の端末の動作方法。
（項目９）
前記下りリンクデータは、ＲＲＣ（Ｒａｄｉｏ  Ｒｅｓｏｕｒｃｅ  Ｃｏｎｔｒｏｌ）メッセージである、項目７に記載の端末の動作方法。
（項目１０）
前記第１基地局のためのチャネル及び前記第２基地局のためのチャネルの無線状態を測定するステップと、
前記第１基地局及び前記第２基地局のうち少なくとも一つに前記無線状態の前記測定結果を報告するステップとをさらに有する、項目７に記載の端末の動作方法。
（項目１１）
前記指示が、前記無線ベアラーが前記第１基地局からデータを受信することを示すと、前記無線ベアラーの前記下りリンクデータは前記第２基地局から受信されない、項目７に記載の端末の動作方法。
（項目１２）
前記無線ベアラーの前記下りリンクデータが前記第１基地局から受信される間に二番目の指示を受信するステップと、
前記二番目の指示が、前記無線ベアラーが前記第２基地局からデータを受信することを示すと、ＰＤＣＰ（Ｐａｃｋｅｔ  Ｄａｔａ  Ｃｏｎｖｅｒｇｅｎｃｅ  Ｐｒｏｔｏｃｏｌ）に保存された全てのＳＤＵ（Ｓｅｒｖｉｃｅ  Ｄａｔａ  Ｕｎｉｔ）及びＰＤＵ（Ｐｒｏｔｏｃｏｌ  Ｄａｔａ  Ｕｎｉｔ）を廃棄（ｄｉｓｃａｒｄ）するステップとをさらに有する、項目７に記載の端末の動作方法。
（項目１３）
第１基地局及び第２基地局を含む無線通信システムの端末であって、
無線周波数モジュールと、
前記無線周波数モジュールを制御するように構成されたプロセッサと、
を備え
前記プロセッサは、前記端末の第１及び第２ＲＬＣ（Ｒａｄｉｏ  Ｌｉｎｋ  Ｃｏｎｔｒｏｌ）及び第１及び第２ＭＡＣ（Ｍｅｄｉｕｍ  Ａｃｃｅｓｓ  Ｃｏｎｔｒｏｌ）を含む無線ベアラーを設定するように構成され、前記第１ＲＬＣ及び前記第１ＭＡＣは、前記第１基地局にデータを送信するために用いられ、前記第２ＲＬＣ及び前記第２ＭＡＣは、前記第２基地局にデータを送信するために用いられ、
前記プロセッサは、前記無線ベアラーに対する指示を受信するように構成され、前記指示は、前記無線ベアラーが前記第１基地局及び前記第２基地局のうちどの基地局にデータを送信するかを示し、
前記プロセッサは、前記指示が、前記無線ベアラーが前記第１基地局にデータを送信することを示すと、前記第１ＲＬＣ及び前記第１ＭＡＣを用いて前記第１基地局に前記無線ベアラーの上りリンクデータを送信するように構成された、端末。
（項目１４）
前記無線ベアラーは、シグナリング無線ベアラー（Ｓｉｇｎａｌｉｎｇ  Ｒａｄｉｏ  Ｂｅａｒｅｒ；ＳＲＢ）である、項目１３に記載の端末。
（項目１５）
前記上りリンクデータは、ＰＤＣＰ  ＳＤＵ（Ｐａｃｋｅｔ  Ｄａｔａ  Ｃｏｎｖｅｒｇｅｎｃｅ  Ｐｒｏｔｏｃｏｌ  Ｓｅｒｖｉｃｅ  Ｄａｔａ  Ｕｎｉｔ）である、項目１３に記載の端末。
（項目１６）
前記プロセッサは、さらに、前記第１基地局のためのチャネル及び前記第２基地局のためのチャネルの無線状態を測定し、前記第１基地局及び前記第２基地局のうち少なくとも一つに前記無線状態の前記測定結果を報告するように構成された、項目１３に記載の端末。
（項目１７）
前記プロセッサは、前記指示が、前記無線ベアラーが前記第１基地局にデータを送信することを示すと、前記無線ベアラーの前記上りリンクデータを前記第２基地局に送信しない、項目１３に記載の端末。
（項目１８）
前記プロセッサは、さらに、
前記無線ベアラーの前記上りリンクデータが前記第１基地局に送信される間に二番目の指示を受信し、前記二番目の指示が、前記無線ベアラーが前記第２基地局にデータを送信することを示すと、ＰＤＣＰ（Ｐａｃｋｅｔ  Ｄａｔａ  Ｃｏｎｖｅｒｇｅｎｃｅ  Ｐｒｏｔｏｃｏｌ）に保存された全てのＳＤＵ（Ｓｅｒｖｉｃｅ  Ｄａｔａ  Ｕｎｉｔ）及びＰＤＵ（Ｐｒｏｔｏｃｏｌ  Ｄａｔａ  Ｕｎｉｔ）を廃棄（ｄｉｓｃａｒｄ）するように構成された、項目１３に記載の端末。
（項目１９）
第１基地局及び第２基地局を含む無線通信システムの端末であって、
無線周波数モジュールと、
前記無線周波数モジュールを制御するように構成されたプロセッサと、
を備え
前記プロセッサは、前記端末の第１及び第２ＲＬＣ（Ｒａｄｉｏ  Ｌｉｎｋ  Ｃｏｎｔｒｏｌ）及び第１及び第２ＭＡＣ（Ｍｅｄｉｕｍ  Ａｃｃｅｓｓ  Ｃｏｎｔｒｏｌ）を含む無線ベアラーを設定するように構成され、前記第１ＲＬＣ及び前記第１ＭＡＣは、前記第１基地局からデータを受信するために用いられ、前記第２ＲＬＣ及び前記第２ＭＡＣは、前記第２基地局からデータを受信するために用いられ、
前記プロセッサは、前記無線ベアラーに対する指示を受信するように構成され、前記指示は、前記無線ベアラーが前記第１基地局及び前記第２基地局のうちどの基地局からデータを受信するかを示し、
前記プロセッサは、前記指示が、前記無線ベアラーが前記第１基地局からデータを受信することを示すと、前記第１ＲＬＣ及び前記第１ＭＡＣを用いて前記第１基地局から前記無線ベアラーの下りリンクデータを受信するように構成された、端末。
【発明の効果】
【００１７】
本発明によれば、無線通信システムにおいて上りリンクデータの送信を効率的に行うことができる。特に、二重接続性システムにおいて端末は基地局のうちいずれか一つに上りリンクデータを送信することができる。
【００１８】
本発明から得られる効果は、以上で言及した効果に制限されず、言及していない他の効果は、添付の図面及び以下の記載から、本発明の属する技術の分野における通常の知識を有する者にとっては明らかになるであろう。
【図面の簡単な説明】
【００１９】
本明細書に添付する図面は、本発明に関する理解を提供するためのものであり、本発明の様々な実施の形態を示し、明細書の記載と共に本発明の原理を説明するためのものである。
【００２０】
【図１】図１は、無線通信システムの一例であり、Ｅ−ＵＭＴＳネットワーク構造を概略的に示す図である。
【００２１】
【図２Ａ】図２Ａは、Ｅ−ＵＴＲＡＮ（Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）ネットワーク構造を示するブロック図であり、図２Ｂは、一般的なＥ−ＵＴＲＡＮとＥＰＣの構造を示すブロック図である。
【図２Ｂ】図２Ａは、Ｅ−ＵＴＲＡＮ（Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）ネットワーク構造を示するブロック図であり、図２Ｂは、一般的なＥ−ＵＴＲＡＮとＥＰＣの構造を示すブロック図である。
【００２２】
【図３】図３は、３ＧＰＰ無線接続網規格に基づく端末とＥ−ＵＴＲＡＮとの間における無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）の構造を示す図である。
【００２３】
【図４】図４は、Ｅ−ＵＭＴＳシステムで用いられる物理チャネル構造の一例である。
【００２４】
【図５】図５は、搬送波集成を示す図である。
【００２５】
【図６】図６は、マスターセルグループ（Ｍａｓｔｅｒ  Ｃｅｌｌ  Ｇｒｏｕｐ；ＭＣＧ）と補助セルグループ（Ｓｅｃｏｎｄａｒｙ  Ｃｅｌｌ  Ｇｒｏｕｐ；ＳＣＧ）との間の二重接続性（ｄｕａｌ  ｃｏｎｎｅｃｔｉｖｉｔｙ）を示す概念図である。
【００２６】
【図７Ａ】図７Ａは、二重接続性に関連した基地局のコントロールプレーン（Ｃｏｎｔｒｏｌ  Ｐｌａｎｅ；Ｃ−Ｐｌａｎｅ）接続性を示す概念図であり、図７Ｂは、二重接続性に関連した基地局のユーザプレーン（Ｕｓｅｒ  Ｐｌａｎｅ；Ｕ−Ｐｌａｎｅ）接続性を示す概念図である。
【図７Ｂ】図７Ａは、二重接続性に関連した基地局のコントロールプレーン（Ｃｏｎｔｒｏｌ  Ｐｌａｎｅ；Ｃ−Ｐｌａｎｅ）接続性を示す概念図であり、図７Ｂは、二重接続性に関連した基地局のユーザプレーン（Ｕｓｅｒ  Ｐｌａｎｅ；Ｕ−Ｐｌａｎｅ）接続性を示す概念図である。
【００２７】
【図８】図８は、二重接続性のための無線プロトコル構造を示す概念図である。
【００２８】
【図９】図９は、下りリンクに対するＬＴＥプロトコル構造を示す概略図である。
【００２９】
【図１０】図１０は、二重接続性に対する無線プロトコル構造を示す概念図である。
【００３０】
【図１１】図１１は、本発明の実施例に係る上りリンクデータ送信を示す概念図である。
【００３１】
【図１２】図１２は、本発明の実施例に係る通信装置を示すブロック図である。
【発明を実施するための形態】
【００３２】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）は、ヨーロッパシステム、ＧＳＭ（登録商標）（Ｇｌｏｂａｌ  ｓｙｓｔｅｍ  ｆｏｒ  ｍｏｂｉｌｅ  ｃｏｍｍｕｎｉｃａｔｉｏｎ）、及びＧＰＲＳ（Ｇｅｎｅｒａｌ  Ｐａｃｋｅｔ  Ｒａｄｉｏ  Ｓｅｒｖｉｃｅ）に基盤したＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）で動作する３世代（３ｒｄ  Ｇｅｎｅｒａｔｉｏｎ、３Ｇ）非対称移動通信システムである。ＵＭＴＳのＬＴＥ（Ｌｏｎｇ−Ｔｅｒｍ  Ｅｖｏｌｕｔｉｏｎ）は、ＵＭＴＳを規格化する３ＧＰＰによって議論中にある。
【００３３】
３ＧＰＰ  ＬＴＥは、高速パケット通信を可能にする技術である。ユーザ及び提供者の費用を減少させ、サービス品質を改善し、カバレッジ（ｃｏｖｅｒａｇｅ）及びシステム容量を拡張及び改善することを目的とするＬＴＥ課題のための多くの方法が提案された。３Ｇ  ＬＴＥは、上位−レベル要求であって、ビット（ｂｉｔ）当たりの費用減少、増加したサービス可用性、周波数帯域の柔軟性、単純な構造、開放型インターフェース、及び端末の適切な電力消耗を要求する。
【００３４】
以下で、添付の図面を参照して説明した本発明の各実施例により、本発明の構成、作用及び他の特徴が容易に理解され得るだろう。以下で説明する各実施例は、本発明の技術的特徴が３ＧＰＰシステムに適用された各例である。
【００３５】
本明細書は、ＬＴＥシステム及びＬＴＥ−Ａシステムを用いて本発明の各実施例を説明するが、これは例示に過ぎない。したがって、本発明の各実施例は、前記定義に該当するいずれの通信システムにも適用することができる。また、本明細書は、ＦＤＤ方式を基準にして本発明の実施例に対して説明するが、これは例示であって、本発明の実施例は、Ｈ−ＦＤＤ方式又はＴＤＤ方式にも容易に変形して適用することができる。
【００３６】
図２Ａは、Ｅ−ＵＴＲＡＮ（Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）網構造を示すブロック図である。Ｅ−ＵＭＴＳは、ＬＴＥシステムと称することもできる。通信網は、ＩＭＳ及びパケットデータを通じたＶｏＩＰ（Ｖｏｉｃｅ  ｏｖｅｒ  ＩＰ）などの多様なサービスを提供するために広く配置される。
【００３７】
図２Ａに示したように、Ｅ−ＵＭＴＳ網は、Ｅ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（Ｅｖｏｌｖｅｄ  Ｐａｃｋｅｔ  Ｃｏｒｅ）、及び一つ以上の端末を含む。Ｅ−ＵＴＲＡＮは、一つ以上のｅＮＢ（ｅｖｏｌｖｅｄ  ＮｏｄｅＢ）２０を含むことができ、複数の端末１０が一つのセルに位置することができる。一つ以上のＥ−ＵＴＲＡＮ  ＭＭＥ（Ｍｏｂｉｌｉｔｙ  Ｍａｎａｇｅｍｅｎｔ  Ｅｎｔｉｔｙ）／ＳＡＥ（Ｓｙｓｔｅｍ  Ａｒｃｈｉｔｅｃｔｕｒｅ  Ｅｖｏｌｕｔｉｏｎ）ゲートウェイ３０は、ネットワークの終端に位置し、外部ネットワークに接続することもできる。
【００３８】
本明細書において、「ダウンリンク（ｄｏｗｎｌｉｎｋ）」は、ｅＮＢ２０から端末１０への通信を称し、「アップリンク（ｕｐｌｉｎｋ）」は、端末１０からｅＮＢ２０への通信を称する。端末１０は、ユーザによって運搬される通信装備を称し、また、移動局（Ｍｏｂｉｌｅ  Ｓｔａｔｉｏｎ、ＭＳ）、ユーザ端末（Ｕｓｅｒ  Ｔｅｒｍｉｎａｌ、ＵＴ）、加入者ステーション（Ｓｕｂｓｃｒｉｂｅｒ  Ｓｔａｔｉｏｎ、ＳＳ）又は無線デバイスと称することもできる。
【００３９】
図２Ｂは、一般的なＥ−ＵＴＲＡＮと一般的なＥＰＣの構造を示すブロック図である。
【００４０】
図２Ｂに示したように、ｅＮＢ２０は、ユーザ平面及び制御平面のエンドポイント（ｅｎｄ  ｐｏｉｎｔ）をＵＥ１０に提供する。ＭＭＥ／ＳＡＥゲートウェイ３０は、セッション及び移動性管理機能のエンドポイントをＵＥ１０に提供する。ｅＮＢ２０及びＭＭＥ／ＳＡＥゲートウェイ３０は、Ｓ１インターフェースを介して接続することができる。
【００４１】
ｅＮＢ２０は、一般にＵＥ１０と通信する固定局であって、基地局（ＢＳ）又はアクセスポイント（ａｃｃｅｓｓ  ｐｏｉｎｔ）と称することもある。一つのｅＮＢ２０はセルごとに配置することができる。ユーザトラフィック又は制御トラフィックを送信するためのインターフェースをｅＮＢ２０間で使用することができる。
【００４２】
ＭＭＥは、ｅＮＢ２０に対するＮＡＳシグナリング、ＮＡＳシグナリング保安、ＡＳ保安制御、３ＧＰＰ接続ネットワーク間の移動性のためのインター（ｉｎｔｅｒ）ＣＮノードシグナリング、（ページング再送信の制御及び実行を含む）遊休モード（ｉｄｌｅ  ｍｏｄｅ）ＵＥ接近性（Ｒｅａｃｈａｂｉｌｉｔｙ）、（遊休モード及び活性モード（ａｃｔｉｖｅ  ｍｏｄｅ）のＵＥのための）トラッキング領域リスト管理、ＰＤＮ  ＧＷ及びサービングＧＷ選択、ＭＭＥ変化が伴うハンドオーバーのためのＭＭＥ選択、２Ｇ又は３Ｇ  ３ＧＰＰ接続ネットワークへのハンドオーバーのためのＳＧＳＮ選択、ローミング、認証、専用ベアラー設定を含むベアラー管理、（ＥＴＷＳ及びＣＭＡＳを含む）ＰＷＳメッセージ送信のためのサポートを含む多様な機能を行う。ＳＡＥゲートウェイホストは、パー−ユーザ（Ｐｅｒ−ｕｓｅｒ）ベースのパケットフィルタリング（例えば、深層パケット検査を使用）、適法なインターセプション（Ｌａｗｆｕｌ  Ｉｎｔｅｒｃｅｐｔｉｏｎ）、ＵＥ  ＩＰアドレス割り当て、ダウンリンクでの送信（Ｔｒａｎｓｐｏｒｔ）レベルパケットマーキング、ＵＬ及びＤＬサービスレベル課金、ゲーティング及びレート強化、ＡＰＮ−ＡＭＢＲに基づいたＤＬレート強化を含む多様な機能を提供する。ＭＭＥ／ＳＡＥゲートウェイ３０は、明確性のために、本明細書で単純に「ゲートウェイ」と称する。しかし、ＭＭＥ／ＳＡＥゲートウェイ３０は、ＭＭＥ及びＳＡＥゲートウェイの両者を全て含む。
【００４３】
複数のノードは、ｅＮＢ２０とゲートウェイ３０との間でＳ１インターフェースを介して接続することができる。各ｅＮＢ２０は、Ｘ２インターフェースを介して相互接続することができ、各隣接ｅＮＢは、Ｘ２インターフェースを有するメッシュネットワーク構造（ｍｅｓｈｅｄ  ｎｅｔｗｏｒｋ  ｓｔｒｕｃｔｕｒｅ）を有することができる。
【００４４】
図２Ｂに示したように、ｅＮＢ２０は、ゲートウェイ３０に対する選択、無線リソース制御（Ｒａｄｉｏ  Ｒｅｓｏｕｒｃｅ  Ｃｏｎｔｒｏｌ、ＲＲＣ）活性化の間、ゲートウェイに向かうルーティング、ページングメッセージのスケジューリング及び送信、ブロードキャストチャネル（ＢＣＣＨ）情報のスケジューリング及び送信、アップリンク及びダウンリンクの全てにおける各ＵＥ１０のための動的リソース割り当て、ｅＮＢ測定の構成及び準備、無線ベアラー制御、無線承認制御（Ｒａｄｉｏ  Ａｄｍｉｓｓｉｏｎ  Ｃｏｎｔｒｏｌ、ＲＡＣ）、及びＬＴＥ＿ＡＣＴＩＶＥ状態での接続移動性制御などの各機能を行うことができる。ＥＰＣにおいて、ゲートウェイ３０は、ページング発信、ＬＴＥ＿ＩＤＬＥ状態管理、ユーザ平面暗号化、システム構造エボリューション（Ｓｙｓｔｅｍ  Ａｒｃｈｉｔｅｃｔｕｒｅ  Ｅｖｏｌｕｔｉｏｎ、ＳＡＥ）ベアラー制御、及び非−接続層（Ｎｏｎ−Ａｃｃｅｓｓ  Ｓｔｒａｔｕｍ、ＮＡＳ）シグナリングの暗号化及び無欠性保護などの各機能を行うことができる。
【００４５】
ＥＰＣは、移動性管理エンティティ（Ｍｏｂｉｌｉｔｙ  Ｍａｎａｇｅｍｅｎｔ  Ｅｎｔｉｔｙ、ＭＭＥ）、サービング−ゲートウェイ（ｓｅｒｖｉｎｇ−ｇａｔｅｗａｙ、Ｓ−ＧＷ）、及びパケットデータネットワーク−ゲートウェイ（Ｐａｃｋｅｔ  Ｄａｔａ  Ｎｅｔｗｏｒｋ−Ｇａｔｅｗａｙ、ＰＤＮ−ＧＷ）を含む。ＭＭＥは、主に各端末の移動性を管理する目的で用いられる接続及び可用性に対する情報を有する。Ｓ−ＧＷは、Ｅ−ＵＴＲＡＮを終端点として有するゲートウェイで、ＰＤＮ−ＧＷは、パケットデータネットワーク（ＰＤＮ）を終端点として有するゲートウェイである。
【００４６】
図３は、３ＧＰＰ無線接続網規格を基盤にした端末とＥ−ＵＴＲＡＮとの間の無線インターフェースプロトコルの制御平面及びユーザ平面の構造を示す図である。制御平面は、端末（Ｕｓｅｒ  Ｅｑｕｉｐｍｅｎｔ；ＵＥ）とネットワークがコールを管理するために用いる各制御メッセージが送信される通路を意味する。ユーザ平面は、アプリケーション層で生成されたデータ、例えば、音声データ又はインターネットパケットデータなどが送信される通路を意味する。
【００４７】
第１の層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位にある媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。前記伝送チャネルを介して媒体接続制御層と物理層との間にデータが移動する。送信側と受信側の物理層間には、物理チャネルを介してデータが移動する。前記物理チャネルは、時間と周波数を無線リソースとして活用する。具体的に、物理チャネルは、ダウンリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、アップリンクでＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００４８】
第２の層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２の層のＲＬＣ層は、信頼性のあるデータ送信をサポートする。ＲＬＣ層の機能は、ＭＡＣ内部の機能ブロックで具現することもできる。第２の層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰバージョン４（ＩＰ  ｖｅｒｓｉｏｎ  ４、ＩＰｖ４）パケットやＩＰバージョン６（ＩＰｖ６）パケットのようなＩＰ（ｉｎｔｅｒｎｅｔ  ｐｒｏｔｏｃｏｌ）パケットを効率的に送信するために不必要な制御情報を減少させるヘッダー圧縮（Ｈｅａｄｅｒ  Ｃｏｍｐｒｅｓｓｉｏｎ）機能を行う。
【００４９】
第３の層の最下部に位置した無線リソース制御（Ｒａｄｉｏ  Ｒｅｓｏｕｒｃｅ  Ｃｏｎｔｒｏｌ；ＲＲＣ）層は、制御平面のみで定義される。ＲＲＣ層は、各無線ベアラー（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢは、端末とネットワークとの間のデータ伝達のために第２の層によって提供されるサービスを意味する。このために、端末とネットワークのＲＲＣ層は、互いにＲＲＣメッセージを交換する。
【００５０】
ｅＮＢの一つのセルは、１．２５ＭＨｚ、２．５ＭＨｚ、５ＭＨｚ、１０ＭＨｚ、１５ＭＨｚ及び２０ＭＨｚなどの各帯域のうち一つで動作するように設定することができ、帯域でダウンリンク又はアップリンク送信サービスを提供するように設定することができる。異なる各セルは、異なる各帯域を提供するように設定することもできる。
【００５１】
Ｅ−ＵＴＲＡＮから端末への送信のためのダウンリンク伝送チャネル（Ｄｏｗｎｌｉｎｋ  ｔｒａｎｓｐｏｒｔ  Ｃｈａｎｎｅｌ）は、システム情報を送信するＢＣＨ（Ｂｒｏａｄｃａｓｔ  Ｃｈａｎｎｅｌ）、各ページングメッセージを送信するＰＣＨ（Ｐａｇｉｎｇ  Ｃｈａｎｎｅｌ）、及びユーザトラフィック又は各制御メッセージを送信するためのダウンリンク共有チャネル（Ｓｈａｒｅｄ  Ｃｈａｎｎｅｌ、ＳＣＨ）を含む。ダウンリンクマルチキャスト又はブロードキャストサービスのトラフィック又は制御メッセージの場合、ダウンリンクＳＣＨを介して送信することもでき、又は別途のダウンリンクＭＣＨ（Ｍｕｌｔｉｃａｓｔ  Ｃｈａｎｎｅｌ）を介して送信することもできる。
【００５２】
端末からネットワークにデータを送信するアップリンク伝送チャネルとしては、初期制御メッセージを送信するＲＡＣＨ（Ｒａｎｄｏｍ  Ａｃｃｅｓｓ  Ｃｈａｎｎｅｌ）と、その他にユーザトラフィックや制御メッセージを送信するアップリンクＳＣＨ（Ｓｈａｒｅｄ  Ｃｈａｎｎｅｌ）とがある。伝送チャネルの上位にあり、伝送チャネルにマッピングされる論理チャネルとしては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、及びＭＴＣＨ（Ｍｕｌｔｉｃａｓｔ  Ｔｒａｆｆｉｃ  Ｃｈａｎｎｅｌ）などがある。
【００５３】
図４は、Ｅ−ＵＭＴＳシステムで使用する物理チャネル構造の一例を示した図である。物理チャネルは、時間軸上にある多数のサブフレームと、周波数軸上にある多数のサブキャリア（Ｓｕｂ−ｃａｒｒｉｅｒ）とで構成される。ここで、一つのサブフレーム（Ｓｕｂ−ｆｒａｍｅ）は、時間軸上に複数のシンボル（Ｓｙｍｂｏｌ）で構成される。一つのサブフレームは、複数のリソースブロック（Ｒｅｓｏｕｒｃｅ  Ｂｌｏｃｋ）で構成され、一つのリソースブロックは、複数のシンボル及び複数のサブキャリアで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、すなわち、Ｌ１／Ｌ２制御チャネルのために該当のサブフレームの特定シンボル（例えば、１番目のシンボル）の特定サブキャリアを用いることができる。図４には、Ｌ１／Ｌ２制御情報伝送領域（ＰＤＣＣＨ）とデータ領域（ＰＤＳＣＨ）を示した。一実施例において、１０ｍｓの無線フレーム（ｒａｄｉｏ  ｆｒａｍｅ）が使用され、一つの無線フレームは１０個のサブフレーム（ｓｕｂｆｒａｍｅ）で構成される。また、一つのサブフレームは二つの連続するスロットで構成される。一つのスロットの長さは、０．５ｍｓである。また、一つのサブフレームは多数のＯＦＤＭシンボルで構成され、多数のＯＦＤＭシンボルのうち一部のシンボル（例えば、１番目のシンボル）は、Ｌ１／Ｌ２制御情報を送信するために使用することができる。データ送信のための時間単位である伝送時間間隔（Ｔｒａｎｓｍｉｓｓｉｏｎ  Ｔｉｍｅ  Ｉｎｔｅｒｖａｌ、ＴＴＩ）は１ｍｓである。
【００５４】
基地局と端末は、一般に特定制御信号又は特定サービスデータを除いては、伝送チャネルであるＤＬ−ＳＣＨを用いる物理チャネルであるＰＤＳＣＨを介してデータを送信／受信する。ＰＤＳＣＨのデータがいずれの端末（一つ又は複数の端末）に送信されるもので、前記各端末がどのようにＰＤＳＣＨデータを受信してデコーディング（ｄｅｃｏｄｉｎｇ）しなければならないのかに対する情報などは、ＰＤＣＣＨに含まれて送信される。
【００５５】
例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスキング（ｍａｓｋｉｎｇ）されており、「Ｂ」という無線リソース（例えば、周波数位置）及び「Ｃ」という送信形式情報（例えば、伝送ブロックサイズ、変調方式、コーディング情報など）を用いて送信されるデータに関する情報が特定サブフレームを通じて送信されると仮定する。この場合、セル内の端末は、自分が有しているＲＮＴＩ情報を用いてＰＤＣＣＨをモニタリングし、「Ａ」ＲＮＴＩを有している一つ以上の端末があると、前記各端末はＰＤＣＣＨを受信し、受信したＰＤＣＣＨの情報を通じて「Ｂ」と「Ｃ」によって指示されるＰＤＳＣＨを受信する。
【００５６】
図５は、搬送波集成（ｃａｒｒｉｅｒ  ａｇｇｒｅｇａｔｉｏｎ）を示す図である。
【００５７】
図５を参照して多重搬送波を支援する搬送波集成技術について説明する。前述したように、搬送波集成によって、既存の無線通信システム（例えば、ＬＴＥシステム）で定義されている帯域幅単位（例えば、２０ＭＨｚ）の搬送波（構成搬送波、ｃｏｍｐｏｎｅｎｔ  ｃａｒｒｉｅｒｓ、ＣＣｓ）を最大５個まで束ねて最大１００ＭＨｚまでのシステム帯域幅を支援することができる。搬送波集成に用いられる各構成搬送波の帯域幅のサイズは同一でも異なってもよい。また、それぞれの構成搬送波は異なる周波数帯域（又は、中心周波数）を有する。また、各構成搬送波は連続した周波数帯域上に存在してもよいが、不連続した周波数帯域上に存在する構成搬送波が搬送波集成に用いられてもよい。また、搬送波集成技術において、上りリンクと下りリンクの帯域幅のサイズは対称的に割り当てられてもよく、非対称的に割り当てられてもよい。
【００５８】
搬送波集成に用いられる多重搬送波（構成搬送波）は、主構成搬送波（Ｐｒｉｍａｒｙ  Ｃｏｍｐｏｎｅｎｔ  Ｃａｒｒｉｅｒ；ＰＣＣ）及び補助構成搬送波（Ｓｅｃｏｎｄａｒｙ  Ｃｏｍｐｏｎｅｎｔ  Ｃａｒｒｉｅｒ；ＳＣＣ）とに分類できる。ＰＣＣは、Ｐセル（Ｐｃｅｌｌ；Ｐｒｉｍａｒｙ  Ｃｅｌｌ）と呼び、ＳＣＣは、Ｓセル（ＳＣｅｌｌ；Ｓｅｃｏｎｄａｒｙ  Ｃｅｌｌ）と呼ぶこともできる。主構成搬送波は、基地局が端末とトラフィック及び制御シグナリングを交換するために用いる搬送波のことを指す。制御シグナリングには、構成搬送波の付加、主構成搬送波に対する設定、上りリンクグラント（ＵＬ  ｇｒａｎｔ）又は下りリンク割り当て（ＤＬ  ａｓｓｉｇｎｍｅｎｔ）などを含むことができる。基地局で複数個の構成搬送波を用いることができるが、該基地局に属した端末は１つの主構成搬送波のみを有するものと設定されてもよい。仮に端末が単一搬送波モードで動作する場合には主構成搬送波が用いられる。このため、主構成搬送波は、独立した利用も可能となるように、基地局と端末間のデータ及び制御シグナリングの交換に必要な全ての要求事項を充足するように設定されなければならない。
【００５９】
一方、補助構成搬送波は、送受信されるデータ要求量などによって活性化又は非活性化されてもよい付加的な構成搬送波のことを指す。補助構成搬送波は、基地局から受信される特定命令及び規則にしたがってのみ用いられるように設定されてもよい。また、補助構成搬送波は、付加的な帯域幅を支援するために主構成搬送波とともに用いられるように設定されてもよい。活性化された補助構成搬送波を介して、基地局から端末に上りリンクグラント又は下りリンク割り当てのような制御信号が送信されてもよく、端末から基地局にチャネル品質指示子（Ｃｈａｎｎｅｌ  Ｑｕａｌｉｔｙ  Ｉｎｄｉｃａｔｏｒ；ＣＱＩ）、プリコーディング行列指示子（Ｐｒｅｃｏｄｉｎｇ  Ｍａｔｒｉｘ  Ｉｎｄｅｘ；ＰＭＩ）、ランク指示子（Ｒａｎｋ  Ｉｎｄｉｃａｔｏｒ；ＲＩ）、サウンディング参照信号（Ｓｏｕｎｄｉｎｇ  Ｒｅｆｅｒｅｎｃｅ  Ｓｉｇｎａｌ；ＳＲＳ）などの上りリンク制御信号が送信されてもよい。
【００６０】
端末へのリソース割り当ては、主構成搬送波及び複数個の補助構成搬送波の範囲を有することができる。多重搬送波集成モードにおいて、システムは、システム負荷（すなわち、静的／動的負荷バランシング）、ピークデータレート、又はサービス品質要求に基づいて、下りリンク及び／又は上りリンクに対して非対称的に補助構成搬送波を端末に割り当てることもできる。搬送波集成技術を用いるとき、構成搬送波に関する設定は、ＲＲＣ接続手順（ＲＲＣ  ｃｏｎｎｅｃｔｉｏｎ  ｐｒｏｃｅｄｕｒｅ）の後に基地局から端末に提供される。ＲＲＣ接続は、ＳＲＢを介して端末のＲＲＣ層とネットワーク間で交換されるＲＲＣシグナリングに基づいて端末が無線リソース割り当てを受けることを意味する。端末と基地局とのＲＲＣ接続手順の後に、端末は基地局から主構成搬送波及び補助構成搬送波に関する設定情報を受け取ることができる。補助構成搬送波に関する設定情報は、補助構成搬送波の付加／削除（又は、活性化／非活性化）を含むことができる。したがって、基地局と端末間に補助構成搬送波を活性化させたり既存の補助構成搬送波を非活性化させたりするためには、ＲＲＣシグナリング及びＭＡＣ制御要素（ＭＡＣ  Ｃｏｎｔｒｏｌ  Ｅｌｅｍｅｎｔ）の交換が行われる必要がある。
【００６１】
補助構成搬送波の活性化又は非活性化は、サービス品質（ＱｏＳ）、搬送波の負荷条件及び他の要因に基づいて基地局で決定することができる。基地局は、下りリンク／上りリンクに対する指示類型（活性化／非活性化）及び補助構成搬送波リストなどの情報を含む制御メッセージを用いて端末に補助構成搬送波の設定を指示することができる。
【００６２】
図６は、マスターセルグループ（Ｍａｓｔｅｒ  Ｃｅｌｌ  Ｇｒｏｕｐ、ＭＣＧ）と補助セルグループ（Ｓｅｃｏｎｄａｒｙ  Ｃｅｌｌ  Ｇｒｏｕｐ、ＳＣＧ）間の二重接続性（ｄｕａｌ  ｃｏｎｎｅｃｔｉｖｉｔｙ）を示す概念図である。
【００６３】
二重接続性は、端末がマスターｅＮＢ（ＭｅＮＢ）と補助ｅＮＢ（ＳｅＮＢ）とに同時に接続可能であるということを意味する。ＭＣＧは、ＭｅＮＢと関連付いているサービングセルのグループであり、ＰＣｅｌｌ及び付加的に一つ以上のＳＣｅｌｌを含む。また、ＳＣＧは、ＳｅＮＢと関連付いているサービングセルのグループであり、特別（ｓｐｅｃｉａｌ）ＳＣｅｌｌ及び付加的に一つ以上のＳＣｅｌｌを含む。ＭｅＮＢは、少なくともＳ１−ＭＭＥ（制御平面のためのＳ１）を終結するｅＮＢであり、ＳｅＮＢは、ＭｅＮＢではないが、端末のための追加の無線リソースを提供するｅＮＢである。
【００６４】
二重接続性によって、ハンドオーバー（ｈａｎｄｏｖｅｒ）可能性を下げるために、ＭＣＧ内のスケジューリング無線ベアラー（Ｓｃｈｅｄｕｌｉｎｇ  Ｒａｄｉｏ  Ｂｅａｒｅｒ、ＳＲＢ）又は他のＤＲＢを維持すると同時に、高い処理量を提供するために、いくつかのデータ無線ベアラー（Ｄａｔａ  Ｒａｄｉｏ  Ｂｅａｒｅｒ、ＤＲＢ）はＳＣＧにオフロード（ｏｆｆｌｏａｄ）されてもよい。ＭＣＧは、周波数ｆ１でＭｅＮＢによって作動し、ＳＣＧは、周波数ｆ２でＳｅＮＢによって作動する。周波数ｆ１及びｆ２は同一であってもよい。ＭｅＮＢとＳｅＮＢとの間のバックホール（ｂａｃｋｈａｕｌ）インターフェースは非−理想的（ｎｏｎ−ｉｄｅａｌ）であり（例えば、Ｘ２インターフェース）、これは、バックホールに相当な遅延があることから、１つのノードでの中央化されたスケジューリングが不可能であることを意味する。
【００６５】
図７Ａは、二重接続性に関連付いている基地局の制御平面（Ｃｏｎｔｒｏｌ  Ｐｌａｎｅ、Ｃ−Ｐｌａｎｅ）接続性を示す概念図であり、図７Ｂは、二重接続性に関連付いている基地局のユーザ平面（Ｕｓｅｒ  Ｐｌａｎｅ、Ｕ−Ｐｌａｎｅ）接続性を示す概念図である。
【００６６】
図７Ａは、特定端末の二重接続性に関連付いている基地局の制御平面（Ｃ−Ｐｌａｎｅ）接続性を示す図である。ＭｅＮＢは、Ｓ１−ＭＭＥを介してＭＭＥに接続された制御平面であり、ＭｅＮＢとＳｅＮＢは、Ｘ２−Ｃ（Ｘ２−制御平面）を介して互いに接続される。図７Ａに示すように、二重接続性のための基地局間（Ｉｎｔｅｒ−ｅＮＢ）の制御平面シグナリングがＸ２インターフェースシグナリングによって行われる。ＭＭＥへの制御平面シグナリングは、Ｓ１インターフェースシグナリングによって行われる。ＭｅＮＢとＭＭＥ間に、端末当たり１つのＳ１−ＭＭＥ接続のみが存在する。各基地局は、例えば、ＳＣＧに対するＳＣｅｌｌ（Ｓｅｃｏｎｄａｒｙ  Ｃｅｌｌ）を他の端末に提供する間に、いくつかの端末にはＰＣｅｌｌ（Ｐｒｉｍａｒｙ  Ｃｅｌｌ）を提供することのように、端末を独立的に扱う必要がある。特定端末の二重接続性に関連付いているそれぞれの基地局は、自身の無線リソースを有し、自身のセルの無線リソースを割り当てることに対して主な責任があり、ＭｅＮＢとＳｅＮＢとの間のそれぞれの調整に対してはＸ２インターフェースシグナリングを用いて行われる。
【００６７】
図７Ｂは、特定端末の二重接続性に関連付いている基地局のユーザ平面（Ｕｓｅｒ  ｐｌａｎｅ、Ｕ−Ｐｌａｎｅ）接続性を示す図である。ユーザ平面接続性は、ベアラーオプション設定に従う：１）ＭＣＧベアラーにおいて、ＭｅＮＢはＳ１−Ｕを介してＳ−ＧＷにユーザ平面接続され、ＳｅＮＢは、ユーザ平面データ伝送に関連付けられない。２）分割ベアラーにおいて、ＭｅＮＢはＳ１−Ｕを介してＳ−ＧＷにユーザ平面接続され、さらにＭｅＮＢとＳｅＮＢはＸ２−Ｕを介して相互接続され、３）ＳＣＧベアラーにおいて、ＳｅＮＢはＳ１−Ｕを介してＳ−ＧＷと直接接続される。ＭＣＧ及び分割ベアラーのみ設定された場合、ＳｅＮＢにはＳ１−Ｕ終端が存在しない。二重接続性において、マクロセルのグループからスモールセルのグループへのデータオフロードのためにはスモールセルの改善が要求される。スモールセルはマクロセルから離れて配置されてもよいので、端末の観点から、複数のスケジューラが異なるノードに分離して位置し、独立して動作する。これは、異なるスケジューリングノードが異なる無線リソース環境を経ることを意味し、各スケジューリングノードがそれぞれ異なるスケジューリング結果を有し得るということを意味する。
【００６８】
図８は、二重接続性のための無線プロトコルの構造に対する概念図である。
【００６９】
本実施例のＥ−ＵＴＲＡＮは、二重接続性（Ｄｕａｌ  Ｃｏｎｎｅｃｔｉｖｉｔｙ、ＤＣ）動作をサポートすることができ、これによって、ＲＲＣ接続（ＲＲＣ_ＣＯＮＮＥＣＴＥＤ）状態である複数の受信／送信（Ｒｘ／Ｔｘ）端末が、Ｘ２インターフェース上の非理想的バックホール（ｂａｃｋｈａｕｌ）を介して接続された２つの基地局に位置した２つの別個のスケジューラ（ｓｃｈｅｄｕｌｅｒ）によって無線リソースの提供を受けて活用するように構成される。特定の端末に対する二重接続性と関連する基地局は、２つの互いに異なる役割を仮定してもよい：すなわち、基地局は、ＭｅＮＢとして動作したり、またはＳｅＮＢとして動作することもできる。二重接続性において、端末は、一つのＭｅＮＢ及び一つのＳｅＮＢと接続され得る。
【００７０】
二重接続性（ＤＣ）動作において、特定のベアラ（ｂｅａｒｅｒ）が用いる無線プロトコルの構造は、ベアラがどのように設定されたかにかかっている。３つの案として、ＭＣＧ（Ｍａｓｔｅｒ  Ｃｅｌｌ  Ｇｒｏｕｐ）ベアラ８０１、分割ベアラ（ｓｐｌｉｔ  ｂｅａｒｅｒ）８０３及びＳＣＧ（Ｓｅｃｏｎｄａｒｙ  Ｃｅｌｌ  Ｇｒｏｕｐ）ベアラ８０５が存在する。３つの案は図８に示されている。ＳＲＢ（Ｓｉｇｎａｌｉｎｇ  Ｒａｄｉｏ  Ｂｅａｒｅｒ）は、常にＭＣＧベアラであり、ＭｅＮＢによって提供される無線リソースのみを用いる。ＭＣＧ（Ｍａｓｔｅｒ  Ｃｅｌｌ  Ｇｒｏｕｐ）ベアラ８０１は、二重接続性でのみＭｅＮＢリソースを用いるためにＭｅＮＢにのみ位置した無線プロトコルである。また、ＳＣＧ（Ｓｅｃｏｎｄａｒｙ  Ｃｅｌｌ  Ｇｒｏｕｐ）ベアラ８０５は、二重接続性においてＳｅＮＢリソースを用いるためにＳｅＮＢにのみ位置した無線プロトコルである。
【００７１】
特に、分割（ｓｐｌｉｔ）ベアラ８０３は、二重接続性においてＭｅＮＢ及びＳｅＮＢリソースの両方を用いるために、ＭｅＮＢ及びＳｅＮＢの両方に位置した無線プロトコルであり、分割ベアラ８０３は、一方向（ｄｉｒｅｃｔｉｏｎ）に対する１つのＰＤＣＰ（Ｐａｃｋｅｔ  Ｄａｔａ  Ｃｏｎｖｅｒｇｅｎｃｅ  Ｐｒｏｔｏｃｏｌ）エンティティ、２つのＲＬＣ（Ｒａｄｉｏ  Ｌｉｎｋ  Ｃｏｎｔｒｏｌ）及び２つのＭＡＣ（Ｍｅｄｉｕｍ  Ａｃｃｅｓｓ  Ｃｏｎｔｒｏｌ）エンティティを含む無線ベアラであってもよい。特に、二重接続性動作は、ＳｅＮＢによって提供された無線リソースを用いるように設定された少なくとも１つのベアラを有するものとしても説明できる。
【００７２】
図９は、ダウンリンクに対するＬＴＥプロトコル構造の概略図である。
【００７３】
図９にダウンリンクに対するＬＴＥプロトコル構造の概略図が示されている。また、伝送（ｔｒａｎｓｐｏｒｔ）フォーマット選択及び多重−アンテナ送信と関連して相違点があるが、アップリンク送信に関連するＬＴＥプロトコル構造は、図９に示されたダウンリンクに対するＬＴＥプロトコル構造とほぼ同一である。
【００７４】
ダウンリンクで送信されるデータは、ＳＡＥベアラ（ｂｅａｒｅｒ）９０１のうち１つ上でＩＰパケットの形態で進入する。無線インターフェース上の送信に先立ち、インカミング（ｉｎｃｏｍｉｎｇ）ＩＰパケットは、以下で要約され、次の部分でより具体的に説明される、多重プロトコルエンティティを介して通過する：
【００７５】
＊ＰＤＣＰ（Ｐａｃｋｅｔ  Ｄａｔａ  Ｃｏｎｖｅｒｇｅｎｃｅ  Ｐｒｏｔｏｃｏｌ）９０３は、無線インターフェース上での送信に必要なビットの数を減らすためにＩＰヘッダー圧縮を行う。ヘッダー圧縮メカニズムは、ＷＣＤＭＡ（登録商標）だけでなく他のいくつかの移動−通信標準で用いられる標準ヘッダー圧縮アルゴリズムである、ＲＯＨＣに基づく。ＰＤＣＰ９０３はまた、送信データの暗号化（ｃｉｐｈｅｒｉｎｇ）と無欠性保護（ｉｎｔｅｇｒｉｔｙ  ｐｒｏｔｅｃｔｉｏｎ）に責任がある。受信側で、ＰＤＣＰプロトコルは、対応暗号解読（ｄｅｃｉｐｈｅｒｉｎｇ）及び圧縮解除（ｄｅｃｏｍｐｒｅｓｓｉｏｎ）動作を行う。移動端末に設定された無線ベアラ毎に１つのＰＤＣＰエンティティが存在する。
【００７６】
＊ＲＬＣ（Ｒａｄｉｏ  Ｌｉｎｋ  Ｃｏｎｔｒｏｌ）９０５は、分割（ｓｅｇｍｅｎｔａｔｉｏｎ）／連接（ｃｏｎｃａｔｅｎａｔｉｏｎ）、再送信処理、及び上位層への順次伝達（ｉｎ−ｓｅｑｕｅｎｃｅ  ｄｅｌｉｖｅｒｙ）に責任がある。ＷＣＤＭＡ（登録商標）とは異なり、ＬＴＥ無線−接続−ネットワーク構造でノードの単一類型のみがあるので、ＲＬＣプロトコルはｅＮＢ（ｅＮｏｄｅＢ）に位置する。ＲＬＣ９０５は、無線ベアラの形態でＰＤＣＰ９０３にサービスを提供する。端末に対して設定された無線ベアラ毎に１つのＲＬＣエンティティが存在する。
【００７７】
＊ＭＡＣ（Ｍｅｄｉｕｍ  Ａｃｃｅｓｓ  Ｃｏｎｔｒｏｌ）９０７は、ハイブリッド−ＡＲＱ再送信とアップリンク及びダウンリンクスケジューリングを取り扱う。スケジューリング機能は、アップリンクとダウンリンクの両方に対して、セル当たり１つのＭＡＣエンティティを有する、ｅＮＢ内に位置する。ハイブリッド−ＡＲＱプロトコル部は、ＭＡＣプロトコルの送信端及び受信端の両方に存在する。ＭＡＣ９０７は、論理チャネル９０９の形態でＲＬＣ９０５にサービスを提供する。
【００７８】
＊物理層（Ｐｈｙｓｉｃａｌ  Ｌａｙｅｒ、ＰＨＹ）９１１は、符号化／復号化、変調／復調、多重−アンテナマッピング、及び他の通常的な物理層機能を取り扱う。物理層９１１は、伝送チャネル９１３の形態でＭＡＣレイヤ９０７にサービスを提供する。
【００７９】
ＭＡＣ９０７は、論理チャネル９０９の形態でＲＬＣ９０５にサービスを提供する。論理チャネル９０９は、伝送する情報の類型によって定義され、一般に、ＬＴＥシステムを動作させるのに必須な制御及び設定情報を送信するために用いられる制御チャネルと、ユーザデータのために用いられるトラフィック（ｔｒａｆｆｉｃ）チャネルとに分類される。
【００８０】
コントロールプレーンプロトコル（Ｃｏｎｔｒｏｌ−Ｐｌａｎｅ  Ｐｒｏｔｏｃｏｌｓ）
【００８１】
特に、コントロールプレーンプロトコルは、接続設定、移動性及び保安を担当する。ネットワークで端末に送信された制御メッセージは、コア（ｃｏｒｅ）ネットワークにおけるＭＭＥ又はｅＮＢ（ｅＮｏｄｅＢ）におけるＲＲＣ（Ｒａｄｉｏ  Ｒｅｓｏｕｒｃｅ  Ｃｏｎｔｒｏｌ）から送ることができる。
【００８２】
ＭＭＥによって扱われるＮＡＳコントロール−プレーン機能は、ＥＰＳベアラー管理、認証、保安、及びページングのような様々な遊休−モード（ｉｄｌｅ−ｍｏｄｅ）手続きを含む。また、端末にＩＰアドレスを割り当てることも担当する。ＮＡＳコントロール−プレーン機能に対する具体的な議論のために、
【００８３】
ＲＲＣはｅＮＢに位置し、ＲＡＮ関連手続きの処理を担当し、ＲＡＮ関連手続きは次の事項を含む：
【００８４】
−  セルと通信するために端末に必要なシステム情報を放送（ｂｒｏａｄｃａｓｔ）。
【００８５】
−  取り込まれる接続要求を端末に知らせるために、ＭＭＥから生成されたページングメッセージを送信。ページングは、端末が特定セルに接続されていないＲＲＣ＿ＩＤＬＥ状態で用いられる。公共警報システム（ｐｕｂｌｉｃ  ｗａｒｎｉｎｇ  ｓｙｓｔｅｍｓ）のようなシステム情報アップデートの指示もページングメカニズムの他の用途である。
【００８６】
−  ＬＴＥにおいてベアラーの設定及び移動性を含む接続を管理。これは、端末及び無線ネットワーク間の通信に必要なパラメータを設定するＲＲＣコンテキスト（ＲＲＣ  ｃｏｎｔｅｘｔ）の確立を含む。
【００８７】
−  セル（再）選択のような移動性機能
【００８８】
−  測定設定及び報告
【００８９】
−  ＵＥ能力の管理；全端末がＬＴＥ規格に記述された全機能を全て支援できるとは限らず、接続が設定される際に端末は自身の能力を知らせるはずである。
【００９０】
ＲＲＣメッセージは、ＳＲＢ（ｓｉｇｎａｌｉｎｇ  ｒａｄｉｏ  ｂｅａｒｅｒ）を使用し、同一プロトコル層（ＰＤＣＰ、ＲＬＣ、ＭＡＣ、及びＰＨＹ）を介して送信される。ＳＲＢは、接続確立中にはＣＣＣＨ（ｃｏｍｍｏｎ  ｃｏｎｔｒｏｌ  ｃｈａｎｎｅｌ）にマップされるが、接続が確立されるとＤＣＣＨ（ｄｅｄｉｃａｔｅｄ  ｃｏｎｔｒｏｌ  ｃｈａｎｎｅｌ）にマップされる。コントロールプレーン及びユーザプレーンデータはＭＡＣ層で多重化され、同一のＴＴＩで端末に送信され得る。前述したＭＡＣ制御要素もまた、暗号化（ｃｉｐｈｅｒｉｎｇ）、安全性保護（ｉｎｔｅｇｒｉｔｙ  ｐｒｏｔｅｃｔｉｏｎ）及び信頼性ある送信よりも、低いレイテンシ（ｌａｔｅｎｃｙ）が一層重要な一部の特殊な場合では、無線リソースの制御に用いられてもよい。
【００９１】
図１０は、二重接続性に対する無線プロトコル構造ら示す概念図である。
【００９２】
ＬＴＥリリース−１２では、図１０に示すように、例えば、ＵＥがＭｅＮＢ  １００１とＳｅＮＢ  １００３の両方に接続された二重接続性に関する研究が進行中である。同図で、ＭｅＮＢ  １００１とＳｅＮＢ  １００３との間のインターフェースはＸｎインターフェース１００５と呼ばれる。Ｘｎインターフェース１００５は、非理想的（ｎｏｎ−ｉｄｅａｌ）であると仮定される；例えば、Ｘｎインターフェースにおける遅延は最大６０ｍｓであってもよいが、これに制限されるものではない。
【００９３】
二重接続性を支援するための潜在的ソリューションの一つは、ＵＥ  １００７が二重ＲＬＣ／ＭＡＣ方式と呼ばれる新しいＲＢ構造を用いてＭｅＮＢ  １００１及びＳｅＮＢ  １００３の両方にデータを送信することであり、ここで、図１０に示すように、単一ＲＢは、一方向に対して１個のＰＤＣＰ−２個のＲＬＣ−２個のＭＡＣを有し、ＲＬＣ／ＭＡＣ対が各セルに対して設定される。同図で、ＢＥ−ＤＲＢ  １００９は、ベストエフォートトラフィック（Ｂｅｓｔ  Ｅｆｆｏｒｔ  ｔｒａｆｆｉｃ）のためのＲＢを意味する。
【００９４】
送信されたＲＲＣメッセージ又はデータユニットのロバスト性（ｒｏｂｕｓｔｎｅｓｓ）を増加させるために、分割ベアラー（ｓｐｌｉｔ  ｂｅａｒｅｒ）を用いてＲＢを送信しようと試みている。仮にＲＢがＲＲＣメッセージを搬送すると、ＲＢはＳＲＢであり、仮にＲＢがデータユニットを搬送すると、ＲＢはＤＲＢである。ＭｅＮＢ及びＳｅＮＢは両方ともＲＢのためのＲＬＣ／ＭＡＣエンティティのセットを準備し、ＭｅＮＢのＰＤＣＰはＲＲＣメッセージ又はデータユニットを２つのＲＬＣ／ＭＡＣエンティティセットに送信する。ＵＥもまた、ＭｅＮＢ及びＳｅＮＢのそれぞれのための２つのＲＬＣ／ＭＡＣエンティティセットを準備するが、いずれか一方はＭｅＮＢのためのものであり、いずれか他方はＳｅＮＢのためのものである。
【００９５】
この方法では、ＲＲＣメッセージ又はデータユニットがＰＤＣＰで複製（ｄｕｐｌｉｃａｔｅ）され、第１ルート１０１１及び第２ルート１０１３を通して送信される。第１ルートはＭｅＮＢへデータを送信するために用いられ、第２ルートはＳｅＮＢへデータを送信するために用いられる。同一のメッセージが２つのｅＮＢから送信されるため、この方法は、より高いロバスト性を提供する。すなわち、ＵＥのＲＲＣメッセージ又はデータユニットを受信する可能性を大きく増加させる。
【００９６】
しかしながら、高いロバスト性はただで得られるものではない。同一のデータが２つのｅＮＢから送信されることから、シグナリングオーバーヘッドが大きく増加する。しかも、ＵＥの位置によって、いずれか一つの経路が悪い無線状態にあることがあり、この場合、悪い状態の無線リソース上の送信は無駄になるだろう。その上、ＰＤＣＰプロトコルは送信機における複製送信（ｄｕｐｌｉｃａｔｅ  ｔｒａｎｓｍｉｓｓｉｏｎ）及び受信機における複製検出（ｄｕｐｌｉｃａｔｅ  ｄｅｔｅｃｔｉｏｎ）を支援するように修正される必要がある。
【００９７】
図１１は、本発明の実施例に係る上りリンクデータ送信を示す概念図である。
【００９８】
複製送信の問題を克服するために、ＵＥが、無線ベアラーがデータをどの基地局に送信するかを決定できるようにすることが発明された。
【００９９】
ＵＥは、２つのＲＬＣ（Ｒａｄｉｏ  Ｌｉｎｋ  Ｃｏｎｔｒｏｌ）及び２つのＭＡＣ（Ｍｅｄｉｕｍ  Ａｃｃｅｓｓ  Ｃｏｎｔｒｏｌ）を含む無線ベアラーを構成することができる（Ｓ１１０１）。
【０１００】
好ましくは、無線ベアラーは、上述した分割ベアラーであってもよい。分割ベアラーは、二重接続性においてＭｅＮＢ及びＳｅＮＢリソースの両方を用いるためにＭｅＮＢ及びＳｅＮＢの両方に位置している無線プロトコルであり、分割ベアラーは、一方向（ｄｉｒｅｃｔｉｏｎ）に対する一つのＰＤＣＰ（Ｐａｃｋｅｔ  Ｄａｔａ  Ｃｏｎｖｅｒｇｅｎｃｅ  Ｐｒｏｔｏｃｏｌ）エンティティ、２つのＲＬＣ（Ｒａｄｉｏ  Ｌｉｎｋ  Ｃｏｎｔｒｏｌ）エンティティ及び２つのＭＡＣ（Ｍｅｄｉｕｍ  Ａｃｃｅｓｓ  Ｃｏｎｔｒｏｌ）エンティティを含む無線ベアラーであってもよい。
【０１０１】
好ましくは、分割ベアラーにおいて、第１ＲＬＣ及び第１ＭＡＣはデータを第１ＢＳに送信するために用いられ、第２ＲＬＣ及び第２ＭＡＣはデータを第２ＢＳに送信するために用いられる。第１ＢＳはマスターｅＮＢ（Ｍａｓｔｅｒ  ｅＮｏｄｅＢ；ＭｅＮＢ）で、第２ＢＳは補助ｅＮＢ（Ｓｅｃｏｎｄａｒｙ  ｅＮＢ；ＳｅＮＢ）であってもよく、その反対であってもよい。
【０１０２】
マスターセルグループ（Ｍａｓｔｅｒ  Ｃｅｌｌ  Ｇｒｏｕｐ；ＭＣＧ）は、ＭｅＮＢと関連付いているサービングセルのグループであり、ＰＣｅｌｌ及び付加的に１つ以上のＳＣｅｌｌを含む。また、補助セルグループ（Ｓｅｃｏｎｄａｒｙ  Ｃｅｌｌ  Ｇｒｏｕｐ；ＳＣＧ）は、ＳｅＮＢと関連付いているサービングセルのグループであり、特別（ｓｐｅｃｉａｌ）ＳＣｅｌｌと付加的に１つ以上のＳＣｅｌｌを含む。ＭｅＮＢは少なくともＳ１−ＭＭＥ（コントロールプレーンのためのＳ１）を終端するｅＮＢであり、ＳｅＮＢは、ＭｅＮＢではないが、端末のための追加の無線リソースを提供するｅＮＢである。
【０１０３】
分割ベアラーにおいて、ＵＥの他のＭＡＣエンティティの機能は、特定されない限り、独立して動作する。無線ベアラーはＲＲＣシグナリングとＭＣＧ及びＳＣＧにマップされる。論理チャネル識別子はＣＧ別に独立して割り当てられる。ＬＣＧ（Ｌｏｇｉｃａｌ  Ｃｈａｎｎｅｌ  Ｇｒｏｕｐ）はＭＡＣエンティティ別に定義される。
【０１０４】
ＵＥは、第１ＢＳのためのチャネル及び第２ＢＳのためのチャネルの無線状態を測定することができる（Ｓ１１０３）。
【０１０５】
好ましくは、チャネルの無線状態は、チャネルのＲＳＲＰ（Ｒａｄｉｏ  Ｓｉｇｎａｌ  Ｒｅｃｅｐｔｉｏｎ  Ｐｏｗｅｒ）、チャネルのＲＳＣＰ（Ｒａｄｉｏ  Ｓｉｇｎａｌ  Ｃｏｄｅ  Ｐｏｗｅｒ）及びチャネルのＣＱＩ（Ｃｈａｎｎｅｌ  Ｑｕａｌｉｆｉｃａｔｉｏｎ  Ｉｎｆｏｒｍａｔｉｏｎ）を含む。
【０１０６】
好ましくは、第１ＢＳのためのチャネルは、データを第１ＢＳに送信するために用いる経路であり、第２ＢＳのためのチャネルは、データを第２ＢＳに送信するために用いる経路である。
【０１０７】
Ｓ１１０３段階の後に、ＵＥは、第１ＢＳ及び第２ＢＳのうち少なくとも一方に対する無線状態測定結果を報告することができる（Ｓ１１０５）。
【０１０８】
ＵＥは、無線ベアラーに対する指示を受信することができる（Ｓ１１０７）。
【０１０９】
好ましくは、無線ベアラーに対する指示は、無線ベアラーがデータをどの基地局に送信するかを示すことができる。
【０１１０】
好ましくは、無線ベアラーに対する指示は、Ｓ１１０５における報告結果に基づいて設定されてもよい。
【０１１１】
好ましくは、指示は、ＲＲＣシグナリング、ＰＤＣＰシグナリング、ＲＬＣシグナリング又はＭＡＣシグナリングで送信されてもよい。
【０１１２】
好ましくは、無線ベアラーに対する指示は、ＰＤＣＰ−Ｃｏｎｆｉｇメッセージで送信されてもよい。ＰＤＣＰ−Ｃｏｎｆｉｇメッセージの情報要素（ｉｎｆｏｒｍａｔｉｏｎ  ｅｌｅｍｅｎｔ）は、データ無線ベアラーに対して設定可能なＰＤＣＰパラメータの設定に用いられる。表１は、ＰＤＣＰ−Ｃｏｎｆｉｇメッセージの情報要素である。
【表１】
0006604955.tif 000002
【０１１３】
特に、“Ｕｌ−Ｄａｔａｐａｔｈ”フィールドは、ＵＥがＳＣＧでＵＬデータ（例えば、ＰＤＣＰ  ＳＤＵ）を送信するか否かを示す。このフィールドは分割ＤＲＢにのみ関連し、この場合、このフィールドの不在は、ＵＥがＭＣＧでＰＤＣＰ  ＳＤＵを送信することを示すが、これに制限されわけではない。この場合、上記指示（ｉｎｄｉｃａｔｉｏｎ）は、“Ｕｌ−Ｄａｔａｐａｔｈ”フィールドであってもよい。
【０１１４】
上記指示が、無線ベアラーが第１ＢＳへデータを送信することを示す場合、ＵＥは第１ＲＬＣ及び第１ＭＡＣを用いて無線ベアラーの上りリンクデータを第１ＢＳに送信することができる（Ｓ１１０９）。この場合、ＵＥは無線ベアラーの上りリンクデータを第２ＢＳに送信することができない。上記指示が、無線ベアラーが第２ＢＳへデータを送信することを示す場合、ＵＥは第２ＲＬＣ及び第２ＭＡＣを用いて無線ベアラーの上りリンクデータを第２ＢＳに送信することができる。この場合、ＵＥは無線ベアラーの上りリンクデータを第１ＢＳに送信することができない。
【０１１５】
一方、Ｓ１１０９段階で、上記指示が二重接続中に受信されない場合、ＵＥは第２ＲＬＣ及び第２ＭＡＣを用いて無線ベアラーの上りリンクデータを第２ＢＳに送信することができる。すなわち、上記指示が受信された場合に限って、ＵＥは無線ベアラーの上りリンクデータを第１ＢＳに送信することができるが、これに制限されるわけでない。
【０１１６】
一方、上記指示が、無線ベアラーが第１ＢＳからデータを受信することに示す場合、ＵＥは第１ＲＬＣ及び第１ＭＡＣを用いて無線ベアラーの下りリンクデータを第１ＢＳから受信することができる（Ｓ１１０９）。この場合、ＵＥは、無線ベアラーの下りリンクデータを第２ＢＳから受信することができない。上記指示が、無線ベアラーが第２ＢＳからデータを受信することに示す場合、ＵＥは、第２ＲＬＣ及び第２ＭＡＣを用いて無線ベアラーの下りリンクデータを第２ＢＳから受信することができる。この場合、ＵＥは無線ベアラーの下りリンクデータを第１ＢＳから受信することができない。
【０１１７】
好ましくは、無線ベアラーはシグナリング無線ベアラー（Ｓｉｇｎａｌｉｎｇ  Ｒａｄｉｏ  Ｂｅａｒｅｒ；ＳＲＢ）であってもよい。また、下りリンクデータはＲＲＣメッセージであってもよい。
【０１１８】
Ｓ１１０９段階の後、ＵＥが二番目の指示を受信すると（Ｓ１１１１）、上記指示が、無線ベアラーが第１ＢＳへデータを送信することを示し、上記二番目の指示が上記無線ベアラーが第２ＢＳへデータを送信することを示す場合、ＵＥは、ＰＤＣＰ（Ｐａｃｋｅｔ  Ｄａｔａ  Ｃｏｎｖｅｒｇｅｎｃｅ  Ｐｒｏｔｏｃｏｌ）エンティティに保存された全てのＳＤＵ（Ｓｅｒｖｉｃｅ  Ｄａｔａ  Ｕｎｉｔ）及びＰＤＵ（Ｐｒｏｔｏｃｏｌ  Ｄａｔａ  Ｕｎｉｔ）を廃棄（ｄｉｓｃａｒｄ）することができる。
【０１１９】
図１2は、本発明の実施例に係る通信装置のブロック図である。
【０１２０】
図１2に示された装置は、上述したメカニズムを行うように適応されたユーザ装置（Ｕｓｅｒ  Ｅｑｕｉｐｍｅｎｔ、ＵＥ）及び／又はｅＮＢであってもよいが、同じ作業を行う任意の装置であってもよい。
【０１２１】
図１2に示したように、装置は、ＤＳＰ（Ｄｉｇｉｔａｌ  Ｓｉｇｎａｌ  Ｐｒｏｃｅｓｓｏｒ）／マイクロプロセッサ１１０及びＲＦ（Ｒａｄｉｏ  Ｆｒｅｑｕｅｎｃｙ）モジュール（送受信機；１３５）を含むこともできる。ＤＳＰ／マイクロプロセッサ１１０は、送受信機１３５に電気的に接続されて送受信機１３５を制御する。装置は、設計者の選択によって、電力管理モジュール１０５、バッテリー１５５、ディスプレイ１１５、キーパッド１２０、ＳＩＭカード１２５、メモリデバイス１３０、スピーカー１４５及び入力デバイス１５０をさらに含むこともできる。
【０１２２】
特に、図１2は、ネットワークから要請メッセージを受信するように構成された受信機１３５及びネットワークに送／受信タイミング情報を送信するように構成された送信機１３５を含む端末を示してもよい。このような受信機と送信機は送受信機１３５を構成できる。端末は、送受信機（受信機及び送信機、１３５）に接続されたプロセッサ１１０をさらに含むこともできる。
【０１２３】
また、図１2は、端末に要請メッセージを送信するように構成された送信機１３５及び端末から送受信タイミング情報を受信するように構成された受信機１３５を含むネットワーク装置を示してもよい。送信機及び受信機は送受信機１３５を構成することもできる。ネットワークは、送信機及び受信機に接続されたプロセッサ１１０をさらに含む。このプロセッサ１１０は、送受信タイミング情報に基づいて遅延（ｌａｔｅｎｃｙ）を計算することもできる。
【０１２４】
本発明は、本発明の特徴又は範囲を逸脱しない範囲で他の特定の形態に具体化できるということは、当業者にとって自明である。したがって、本発明の範囲は、添付の請求項の合理的解釈によって決定されなければならず、本発明の等価的範囲内での全ての変更は本発明の範囲に含まれる。
【０１２５】
以上で説明された実施例は、本発明の構成要素と特徴が所定の形態で結合されたものである。各構成要素又は特徴は、別の明示的な言及がない限り、選択的なものとして考慮しなければならない。各構成要素又は特徴は、他の構成要素や特徴と結合されていない形態で実施されてもよい。また、一部の構成要素及び／又は特徴を結合して本発明の実施例を構成することもできる。本発明の実施例で説明される動作の順序は変更されてもよい。ある実施例の一部の構成や特徴は、他の実施例に含まれてもよく、または、他の実施例の対応する構成又は特徴に置換されてもよい。特許請求の範囲において明示的な引用関係にない請求項を結合して実施例を構成したり、出願後の補正によって新しい請求項として含めたりできるということは明らかである。
【０１２６】
本発明の実施例において、基地局（ＢＳ）によって行われると説明された特定の動作は、上位ノードのＢＳによって行われてもよい。ＢＳを含む複数のネットワークノードで、ＭＳとの通信のために行われる様々な動作が、基地局によって行われたり、基地局以外の他のネットワークノードによって行われ得ることは明らかである。‘ｅＮＢ’は、‘固定局（ｆｉｘｅｄ  ｓｔａｔｉｏｎ）’、‘ＮｏｄｅＢ’、‘基地局（ＢＳ）’、アクセスポイントなどの用語に代替されてもよい。
【０１２７】
上述した実施例は、例えば、ハードウェア、ファームウエア、ソフトウェアまたはこれらの組み合わせのような様々な手段によって具現されてもよい。
【０１２８】
ハードウェアの設定において、本発明の実施例に係る方法は、１つ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現されてもよい。
【０１２９】
ファームウエアやソフトウェアによる具現の場合、本発明の一実施例は、以上で説明された機能又は動作を行うモジュール、手順、関数などの形態で具現されてもよい。ソフトウェアコードは、メモリユニットに格納され、プロセッサによって駆動され得る。前記メモリユニットは、前記プロセッサの内部又は外部に位置して、公知の様々な手段によって前記プロセッサとデータを交換することができる。
【０１３０】
本発明は、本発明の特徴を逸脱しない範囲で他の特定の形態に具体化できるということは、当業者にとって自明である。したがって、上記の詳細な説明は、全ての面で制限的に解釈してはならず、例示的なものとして考慮しなければならない。本発明の範囲は、添付の請求項の合理的解釈によって決定されなければならず、本発明の等価的範囲内での全ての変更は本発明の範囲に含まれる。
【産業上の利用可能性】
【０１３１】
以上の方法は、３ＧＰＰ  ＬＴＥシステムに適用される例示を中心に説明されたが、本発明は３ＧＰＰ  ＬＴＥシステムの他にも様々な無線通信システムに適用可能である。
【図１】
0006604955.tif 000003
【図２Ａ】
0006604955.tif 000004
【図２Ｂ】
0006604955.tif 000005
【図３】
0006604955.tif 000006
【図４】
0006604955.tif 000007
【図５】
0006604955.tif 000008
【図６】
0006604955.tif 000009
【図７Ａ】
0006604955.tif 000010
【図７Ｂ】
0006604955.tif 000011
【図８】
0006604955.tif 000012
【図９】
0006604955.tif 000013
【図１０】
0006604955.tif 000014
【図１１】
0006604955.tif 000015
【図１２】
0006604955.tif 000016